(57)【要約】【課題】本発明はＰＣＩエクスプレス拡張カードに関し、ＰＣＩエクスプレスｘ１拡張カードにも対応することができるようにすることを目的としている。【解決手段】プリント基板１と、該プリント基板１に取り付けられたＬＳＩ回路２と、該ＬＳＩ回路２と接続されるバスの切り替えを行なうバス切替回路３と、該バス切替回路３とＰＣＩエクスプレスｘ２拡張カード乃至ｘ１６拡張カードの信号線が接続された第１のコネクタ部４と、前記バス切替回路３とＰＣＩエクスプレスｘ１拡張カードの信号線が接続され、前記プリント基板１に対し、第１のコネクタ部４とは反対側に取り付けられた第２のコネクタ部５と、前記ＬＳＩ回路２及びバス切替回路３に、ＰＣＩエクスプレスｘ２拡張カード乃至ｘ１６拡張カードの内の何れか一つと、ＰＣＩエクスプレスｘ１拡張カードの内の何れかを選択する信号を与える切替スイッチ６とから構成される。【選択図】図１
2007226696.tif 000002
【特許請求の範囲】
【請求項１】
電子回路が装着されたプリント基板と、
該プリント基板に取り付けられたＬＳＩ回路と、
該ＬＳＩ回路と接続されるバスの切り替えを行なうバス切替回路と、
該バス切替回路とＰＣＩエクスプレスｘ２拡張カード乃至ＰＣＩエクスプレスｘ１６拡張カードの信号線が接続された第１のコネクタ部と、
前記バス切替回路とＰＣＩエクスプレスｘ１拡張カードの信号線が接続され、前記プリント基板に対し、第１のコネクタ部とは反対側に取り付けられた第２のコネクタ部と、
前記ＬＳＩ回路及びバス切替回路に、ＰＣＩエクスプレスｘ２拡張カード乃至ＰＣＩエクスプレスｘ１６拡張カードの内の何れか一つと、ＰＣＩエクスプレスｘ１拡張カードの内の何れかを選択する信号を与える切替スイッチと、
から構成されるＰＣＩエクスプレス拡張カード。
【発明の詳細な説明】
【技術分野】
【０００１】
本発明はＰＣＩエクスプレス拡張カードに関する。ここで、ＰＣＩはＰｅｒｉｐｈｅｒａｌ  Ｃｏｍｐｏｎｅｎｔ  Ｉｎｔｅｒｃｏｎｎｅｃｔの略であり、パソコンやワークステーションに使う入出力バスの一種である。
【背景技術】
【０００２】
ＰＣＩ  Ｅｘｐｒｅｓｓ（エクスプレス）拡張カード（以下ＰＣＩエクスプレス拡張カードという）はコンピュータ等に使用されている。このＰＣＩエクスプレス拡張カードには、ＰＣＩエクスプレスｘ１拡張カード、ＰＣＩエクスプレスｘ２拡張カード、ＰＣＩエクスプレスｘ４拡張カード、ＰＣＩエクスプレスｘ８拡張カード、ＰＣＩエクスプレスｘ１６拡張カードがある。ここで、ＰＣＩエクスプレス拡張カードは、ＰＣＩエクスプレスｘ１カードよりもＰＣＩエクスプレスｘ２カードの方が高速データの処理が可能であり、ＰＣＩエクスプレスｘ１６カードが最も高速の動作が可能である。そして、これらＰＣＩエクスプレス拡張カードは、ＰＣＩエクスプレスｘ２拡張カード乃至ＰＣＩエクスプレスｘ１６拡張カードはＰＣＩエクスプレスｘ１カードをサポートしている。
【０００３】
従来のこの種の技術としては、コネクタに接続された規格に準拠するカードを制御するＰＣカード制御装置であって、規格に準拠するカード以外に、直接又はアダプタを介してコネクタに接続された新しい規格に準拠した新カードを検出した場合に新カード検出信号を出力するカード検出部と、新カード検出信号の入力に応じて、コネクタを直接新カード用のバスに接続する配線切換回路とを備えるものが知られている（例えば特許文献１参照）。
【０００４】
また、コネクタに接続された規格に準拠するカードを制御するＰＣカード制御装置であって、規格に準拠したカード以外に、直接又はアダプタを介してコネクタに接続された新しい規格に準拠する新カードを検出した場合に新カード検出信号を出力するカード検出部と、新カード検出信号の入力に応じて、コネクタへの供給電圧を新カード用の電圧に変換する電圧変換回路を備えたものが知られている（例えば特許文献２参照）。
【特許文献１】特開２００４−３１８８３５号公報（段落００３５〜００５２、図１〜図４）
【特許文献２】特開２００４−３１８８３６号公報（段落００３２〜００４９、図１〜図４）
【発明の開示】
【発明が解決しようとする課題】
【０００５】
前述したＰＣＩエクスプレス拡張カードでは、ＰＣＩエクスプレスｘ２拡張カード，ＰＣＩエクスプレスｘ４拡張カード，ＰＣＩエクスプレスｘ８拡張カード，ＰＣＩエクスプレスｘ１６拡張カードは、それぞれＰＣＩエクスプレスｘ１拡張カードをサポートしているにも拘わらず、コネクタの形状の問題からＰＣＩエクスプレスｘ１拡張カード用コネクタに挿入して使用することができない。
【０００６】
また、ＰＣＩエクスプレスｘ２拡張カード乃至ＰＣＩエクスプレスｘ１６拡張カードをＰＣＩエクスプレスｘ１拡張カード用コネクタに挿入することができないように仕様が決められている理由としては、ＰＣＩエクスプレスｘ２拡張カード乃至ＰＣＩエクスプレスｘ１６拡張カードはＰＣＩエクスプレスｘ１拡張カードよりも消費電力が大きい仕様のため、ＰＣＩエクスプレスｘ１拡張カード用コネクタでは物理的に動作できないようにする必要があったためである。
【０００７】
本発明はこのような課題に鑑みてなされたものであって、ＰＣＩエクスプレスｘ１拡張カードにも対応することができるＰＣＩエクスプレス拡張カードを提供することを目的としている。
【課題を解決するための手段】
【０００８】
（１）請求項１記載の発明は、電子回路が装着されたプリント基板と、該プリント基板に取り付けられたＬＳＩ回路と、該ＬＳＩ回路と接続されるバスの切り替えを行なうバス切替回路と、該バス切替回路とＰＣＩエクスプレスｘ２拡張カード乃至ＰＣＩエクスプレスｘ１６拡張カードの信号線が接続された第１のコネクタ部と、前記バス切替回路とＰＣＩエクスプレスｘ１拡張カードの信号線が接続され、前記プリント基板に対し、第１のコネクタ部とは反対側に取り付けられた第２のコネクタ部と、前記ＬＳＩ回路及びバス切替回路に、ＰＣＩエクスプレスｘ２拡張カード乃至ＰＣＩエクスプレスｘ１６拡張カードの内の何れか一つと、ＰＣＩエクスプレスｘ１拡張カードの内の何れかを選択する信号を与える切替スイッチと、から構成されることを特徴としている。
【発明の効果】
【０００９】
（１）請求項１記載の発明によれば、ＰＣＩエクスプレスｘ２拡張カード乃至ＰＣＩエクスプレスｘ１６拡張カードをＰＣＩエクスプレスｘ１拡張カードとしても使用することが可能となる。
【発明を実施するための最良の形態】
【００１０】
以下、図面を参照して本発明の実施の形態例を詳細に説明する。
図１は本発明の一実施の形態例を示す構成図で、ＰＣＩエクスプレス拡張カード２０を示している。図において、１は電子回路が装着されたプリント基板、２は該プリント基板１に取り付けられたＬＳＩ回路、３は該ＬＳＩ回路２と接続されるバスの切り替えを行なうバス切替回路、４は該バス切替回路３とＰＣＩエクスプレスｘ２拡張カード乃至ＰＣＩエクスプレスｘ１６拡張カードの信号線が接続された第１のコネクタ部、５は前記バス切替回路３とＰＣＩエクスプレスｘ１拡張カードの信号線が接続され、前記プリント基板１に対し、第１のコネクタ部４とは反対側に取り付けられた第２のコネクタ部、６は前記ＬＳＩ回路２及びバス切替回路３に、ＰＣＩエクスプレスｘ２拡張カード乃至ＰＣＩエクスプレスｘ１６拡張カードの内の何れか一つと、ＰＣＩエクスプレスｘ１拡張カードの内の何れかを選択する信号を与える切替スイッチである。
【００１１】
７はプリント基板１に取り付けられ、実装時にプリント基板１を固定するための取り付け治具、８は該取り付け治具７に接続された表示用コネクタ部である。該表示用コネクタ部８はＬＳＩ回路２と接続されており、ＣＲＴ等の表示部に表示するための信号が接続されている。該表示用コネクタ部８は、表示部用のコネクタ部（図示せず）と接続され、表示部に所定の情報を表示することができるようになっている。９は同じくプリント基板１と接続される取り付け治具である。１０は第１のコネクタ部４と接続されるコネクタ部であり、該コネクタ部１０はマザーボード（図示せず）に取り付けられており、図に示すＰＣＩエクスプレス拡張カード２０が装着されることにより、マザーボードと信号のやりとりができるようになる。なお、上述したコネクタ部４，５，８の接点としては、腐食に強い金端子が用いられる。カードは取り付け治具７及び９により例えばネジ止めにより固定される。このように構成されたカードの動作を説明すれば、以下の通りである。
【００１２】
図１に示す状態は、ＰＣＩエクスプレス拡張カード２０がＰＣＩエクスプレスｘ２拡張カード乃至ＰＣＩエクスプレスｘ１６拡張カードとして使用されている場合を示している。切替スイッチ６はＰＣＩエクスプレスｘ２拡張カード乃至ＰＣＩエクスプレスｘ１６拡張カード側を選択している。図２は切り替え信号発生回路の例を示す図である。電源Ｖｃｃに抵抗ＲとスイッチＳＷの直列回路が接続されている。そして、抵抗ＲとスイッチＳＷの接続点から切り替え信号が出力されるようになっている。このスイッチＳＷの接点がオン状態では切り替え信号は“０”になり、スイッチＳＷの接点がオフ状態では切り替え信号は“１”になる。この切り替え信号をＬＳＩ回路２とバス切替回路３に与える。
【００１３】
例えば、切り替え信号が“１”の場合に、ＰＣＩエクスプレスｘ２拡張カード乃至ＰＣＩエクスプレスｘ１６拡張カード用が選択されるものとする。この時、ＬＳＩ回路２は選択信号入力端子に“１”を受けて、ＰＣＩエクスプレスｘ２拡張カード乃至ＰＣＩエクスプレスｘ１６拡張カード用が選択されているものと判断する。
【００１４】
一方、切り替え信号はバス切替回路３にも入力されている。そこで、該バス切替回路３は、切り替え信号により、ＰＣＩエクスプレス拡張カードの種類に応じた信号線をコネクタ部４と接続する。この場合において、ｘ２乃至ｘ１６の内の何れが選択されているかは、コネクタ部４の長さで判別することができる。即ち、ＰＣＩエクスプレスｘ１６拡張カード使用時にはコネクタ部４が最も長いものが使用され、ＰＣＩエクスプレスｘ２拡張カード使用時にはコネクタ部４が最も短いものが使用される。このように、コネクタ部４が使用するＰＣＩエクスプレス拡張カードの種類に応じた長さになっていることから、ｘ２乃至ｘ１６までのどのカードであるかを認識することができる。
【００１５】
この結果、ＬＳＩ回路２の所定のピン端子がコネクタ部４と接続され、コネクタ部１０を介して他の例えばマザーボードと接続され、ＰＣＩエクスプレス拡張カードとして動作することになる。例えば、図に示すＰＣＩエクスプレス拡張カードがＰＣＩエクスプレスｘ８拡張カードとして動作することになる。
【００１６】
図３は本発明の他の実施の形態例を示す構成図である。図１と同一のものは、同一の符号を付して示す。この実施の形態例は、ＰＣＩエクスプレス拡張カードをＰＣＩエクスプレスｘ１拡張カードとして使用している状態を示している。即ち、図１に示す状態からコネクタ部５を使用する状態に設定したものである。図において、２０はＰＣＩエクスプレス拡張カード、１はプリント基板、２はＬＳＩ回路、３はバス切替回路、４はコネクタ部、５はコネクタ部、７は取り付け治具、８はコネクタ部、９は取り付け治具、１１はコネクタ部５と接続されるコネクタ部である。カードは取り付け治具７及び９により固定される。このように構成されたカードの動作を説明すれば、以下の通りである。
【００１７】
図３に示す状態は、ＰＣＩエクスプレス拡張カード２０がＰＣＩエクスプレスｘ１拡張カードとして使用されている場合を示している。切替スイッチ６はＰＣＩエクスプレスｘ１拡張カード側を選択している。この時、ＬＳＩ回路２は選択信号入力端子に“０”を受けて、ＰＣＩエクスプレスｘ１拡張カードが選択されているものと判断する。
【００１８】
一方、切り替え信号はバス切替回路３にも入力されている。そこで、該バス切替回路３は、切り替え信号により、ＰＣＩエクスプレスｘ１拡張カードの信号線をコネクタ部５と接続する。この場合において、ＰＣＩエクスプレスｘ１拡張カードの信号線がＬＳＩ回路２と接続されるように設定する。この結果、ＬＳＩ回路２の所定のピン端子がコネクタ部５と接続され、コネクタ部１１を介して他の例えばマザーボードと接続され、ＰＣＩエクスプレスｘ１拡張カードとして動作することになる。
【００１９】
本発明によれば、ＰＣＩエクスプレスｘ２拡張カード乃至ｘ１６拡張カードの通常の接続用端子だけではなく、逆側にＰＣＩエクスプレスｘ１拡張カードに対応した接続用端子を実装することにより、ＰＣＩエクスプレスｘ２拡張カード乃至ＰＣＩエクスプレスｘ１６拡張カードにＰＣＩエクスプレスｘ１拡張カードの機能も搭載することができる。
【００２０】
ＰＣＩエクスプレスｘ１拡張カードとして使用する際には、ＰＣＩエクスプレスｘ１拡張カードとして使用していると判断可能な信号を切り替え信号として使用することで、ＰＣＩエクスプレスｘ１拡張カードの消費電力仕様に沿った消費電力に抑えるようにＰＣＩエクスプレス拡張カード上に搭載されているＬＳＩ回路２にＰＣＩエクスプレスｘ１拡張カードを選択させる。そして、低消費電力モードにすることで、ＰＣＩエクスプレスｘ２拡張カード乃至ｘ１６拡張カードをＰＣＩエクスプレスｘ１拡張カードの消費電力仕様に基づいた動作にすることが可能となる。また、ＰＣＩエクスプレスｘ２拡張カード乃至ｘ１６拡張カード及びＰＣＩエクスプレスｘ１拡張カードの両方で仕様する信号類については、ＰＣＩエクスプレスｘ１モード信号を使用して切り替えて使用することにより、高速信号の安定性を確保することができる。
【００２１】
以上、説明したように、本発明によればＰＣＩエクスプレスｘ２拡張カード乃至ｘ１６拡張カードをＰＣＩエクスプレスｘ１拡張カードとしてもコンピュータに搭載することが可能となる。
【図面の簡単な説明】
【００２２】
【図１】本発明の一実施の形態例を示す構成図である。
【図２】切り替え信号発生回路の例を示す図である。
【図３】本発明の他の実施の形態例を示す構成図である。
【符号の説明】
【００２３】
１    プリント基板
２    ＬＳＩ回路
３    バス切替回路
４    コネクタ部
５    コネクタ部
６    切替スイッチ
７    取り付け治具
８    コネクタ部
９    取り付け治具
１０  コネクタ部
２０  ＰＣＩエクスプレス拡張カード
【図１】
2007226696.tif 000003
【図２】
2007226696.tif 000004
【図３】
2007226696.tif 000005